(57)【要約】【課題】患者にとって最適な助成制度を提示する助成制度提示システムおよび助成制度提示方法を提供することを課題とする。【解決手段】本発明による助成制度提示システムは、利用者が利用可能な助成制度を選択する助成制度提示装置が、前記利用者が操作する利用者端末装置に前記選択した助成制度を表示させる助成制度提示システムであって、前記助成制度提示装置の記憶部は、前記利用者ごとに、当該利用者が利用した医療機関から請求された金額である請求額を記憶している利用者情報と、前記助成制度ごとに、前記助成制度を利用するための条件である利用条件を記憶している助成制度内容管理情報と、を格納し、前記助成制度提示装置の制御部は、前記医療機関からの請求に対して、前記利用条件を満たすか否かの判定を行い、前記利用者が利用可能な前記助成制度を選択する助成制度管理部を、有すること、を特徴とする。【選択図】図１
2013114414.tif 000002
【特許請求の範囲】
【請求項１】
利用者が利用可能な助成制度を選択する助成制度提示装置が、前記利用者が操作する利用者端末装置に前記選択した助成制度を表示させる助成制度提示システムであって、
前記助成制度提示装置の記憶部は、
前記利用者ごとに、当該利用者が利用した医療機関から請求された金額である請求額を記憶している利用者情報と、
前記助成制度ごとに、前記助成制度を利用するための条件である利用条件を記憶している助成制度内容管理情報と、
を格納し、
前記助成制度提示装置の制御部は、
前記医療機関からの請求に対して、前記利用条件を満たすか否かの判定を行い、前記利用者が利用可能な前記助成制度を選択する助成制度管理部を、
有すること、
を特徴とする、助成制度提示システム。
【請求項２】
前記助成制度提示装置の前記助成制度内容管理情報は、
前記利用者が前記助成制度を利用することにより、援助される金額である助成金額を記憶しており、
前記助成制度提示装置の助成制度管理部は、
前記請求額から前記助成金額を減算した値である利用者負担金額を算出すること、
を特徴とする、請求項１に記載の助成制度提示システム。
【請求項３】
前記助成制度提示装置の前記助成制度内容管理情報は、
前記助成制度と併用不可能な他の前記助成制度である背反助成制度を記憶しており、
前記助成制度提示装置の助成制度管理部は、
前記選択した助成制度と併用不可能な他の前記助成制度を検索すること、
を特徴とする、請求項１または請求項２に記載の助成制度提示システム。
【請求項４】
前記助成制度提示装置の前記利用者情報は、
前記利用者の病名、前記医療機関を利用することとなった事由、前記請求額を区分けしたものである科目、前記利用者の居住する地域、前記利用者の収入、の少なくともいずれか１つを記憶しており、
前記助成制度提示装置の前記助成制度内容管理情報は、
前記病名、前記事由、前記科目、前記地域、前記収入、の少なくともいずれか１つを前記利用条件として記憶していること、
を特徴とする、請求項１ないし請求項３のいずれか１項に記載の助成制度提示システム。
【請求項５】
利用者が利用可能な助成制度を選択し、前記利用者が操作する利用者端末装置に前記選択した助成制度を表示させる助成制度提示装置の助成制度提示方法であって、
前記助成制度提示装置の記憶部は、
前記利用者ごとに、当該利用者が利用した医療機関から請求された金額である請求額を記憶している利用者情報と、
前記助成制度ごとに、前記助成制度を利用するための条件である利用条件を記憶している助成制度内容管理情報と、
を格納しており、
前記助成制度提示装置の制御部は、
助成制度管理部によって、前記医療機関からの請求に対して、前記利用条件を満たすか否かの判定を行い、前記利用者が利用可能な前記助成制度を選択すること、
を特徴とする、助成制度提示方法。
【発明の詳細な説明】
【技術分野】
【０００１】
本発明は、利用者に助成制度を提示することができる助成制度提示システムおよび助成制度提示方法に関する。
【背景技術】
【０００２】
公的医療費助成制度は、国や地方公共団体や健康保険組合毎に、異なる条件および助成内容にて運用されている。この公的医療費助成制度を利用するためには、まず患者からの申請があり、それから利用可能であるか否かが審査されることが一般的である。そのため、患者が公的医療費助成制度の存在を知らない場合は、申請すら行うことができず、当該公的医療費助成制度を利用する機会を失ってしまうという問題がある。また、患者が公的医療費助成制度の存在を知っていた場合でも、当該公的医療費助成制度を利用するための条件を満たしているか否かを調べなければならず、患者の負担が大きいという問題がある。
【０００３】
民間の保険会社が提供する民間保険も同様に、患者からの申請があり、それから利用可能であるか否かが審査されることが一般的である。この民間保険は、患者が任意に加入するものであるが、加入したことを患者が忘れている場合は、民間保険を利用する機会を失ってしまうという問題がある。また、民間保険に加入したことを患者が覚えていた場合でも、民間保険を利用するための条件を満たしているか否かを調べなければならず、患者の負担が大きいという問題がある。
このように、患者の負担を和らげる制度を利用するために、患者に負担がかかっているという課題があった。
【０００４】
一方、公的医療費助成制度の利用申請における負担を軽減する技術として、申請書類等を自動で作成する方法等が、特許文献１に開示されている。
【先行技術文献】
【特許文献】
【０００５】
【特許文献１】特開２００６−３０１９４５号公報
【発明の概要】
【発明が解決しようとする課題】
【０００６】
特許文献１に記載されている技術は、患者が利用可能な公的医療費助成制度を決定するタイミングを、医師による診断によって病名が決定された時としている。そのため、特定疾病を対象とする助成制度の申請書類等を作ることはできるが、利用条件として病名を問わない助成制度の場合は、当該技術を用いることができないという課題が残っている。なお、利用条件として病名を問わない助成制度の一例として、乳幼児を対象とする助成制度や、母子家庭を対象とする助成制度がある。
【０００７】
そこで、本発明は、患者にとって最適な助成制度を提示する助成制度提示システムおよび助成制度提示方法を提供することを課題とする。
【課題を解決するための手段】
【０００８】
前記課題を解決するため、本発明による助成制度提示システムは、利用者が利用可能な助成制度を選択する助成制度提示装置が、前記利用者が操作する利用者端末装置に前記選択した助成制度を表示させる助成制度提示システムであって、前記助成制度提示装置の記憶部は、前記利用者ごとに、当該利用者が利用した医療機関から請求された金額である請求額を記憶している利用者情報と、前記助成制度ごとに、前記助成制度を利用するための条件である利用条件を記憶している助成制度内容管理情報と、を格納し、前記助成制度提示装置の制御部は、前記医療機関からの請求に対して、前記利用条件を満たすか否かの判定を行い、前記利用者が利用可能な前記助成制度を選択する助成制度管理部を、有すること、を特徴とする。
【発明の効果】
【０００９】
本発明によれば、患者にとって最適な助成制度を提示する助成制度提示システムおよび助成制度提示方法を提供することが可能になる。
【図面の簡単な説明】
【００１０】
【図１】本実施形態の概略を説明する図である。
【図２】助成制度提示装置の構成を説明する図である。
【図３】認証装置の構成を説明する図である。
【図４】利用者端末装置の構成を説明する図である。
【図５】利用者情報マスタの一例を説明する図である。
【図６】世帯情報マスタの一例を説明する図である。
【図７】利用者支払情報テーブルの一例を説明する図である。
【図８】支払内訳テーブルの一例を説明する図である。
【図９】制度マスタの一例を説明する図である。
【図１０】条件マスタの一例を説明する図である。
【図１１】病名マスタの一例を説明する図である。
【図１２】事由ＩＤテーブルの一例を説明する図である。
【図１３】地域ＩＤテーブルの一例を説明する図である。
【図１４】科目ＩＤマスタの一例を説明する図である。
【図１５】助成内容マスタの一例を説明する図である。
【図１６】（ａ）は、ログイン画面を説明する図である。（ｂ）は、利用者情報登録画面を説明する図である。
【図１７】利用者情報参照画面を説明する図である。
【図１８】負担金詳細画面を説明する図である。
【図１９】助成制度提示システムの処理内容を説明するシーケンス図である。
【図２０】助成制度選択処理のフローチャートである。
【図２１】突合処理のフローチャートである。
【図２２】助成制度選択処理のシーケンス図である。
【図２３】制度背反チェック処理のフローチャートである。
【発明を実施するための形態】
【００１１】
以降、本発明を実施するための形態（「本実施形態」という）を、図等を参照しながら詳細に説明する。また、本実施形態を説明するための全図において、同一部には原則として同一の符号を付し、その繰り返しの説明は省略する。
【００１２】
（全体構成）
図１は、本実施形態の全体構成を説明する図である。
助成制度提示システムＳは、助成制度提示装置１００、認証装置２００、利用者端末装置３００、病院情報管理装置４００、健康保険管理装置５００、民間保険管理装置６００、住民基本台帳管理装置７００、地方自治体納税管理装置８００および公的医療費助成制度管理装置９００を含んで構成される。助成制度提示装置１００は、ネットワーク１０を介して、病院情報管理装置４００〜公的医療費助成制度管理装置９００と接続される。
【００１３】
ネットワーク１０は、各種装置間の情報のやりとりを仲介する通信網である。
利用者属性情報２０は、利用者の氏名や、利用者が病気や怪我等で医療機関を利用した際に支払った費用等の、利用者に関する情報である。
助成制度情報３０は、助成制度を利用する条件や助成内容等の、助成制度に関する情報である。
認証情報４０は、助成制度提示システムＳにログインする利用者を認証する情報である。認証情報４０には、後記する個人ＩＤおよびパスワードが含まれる。
【００１４】
助成制度提示装置１００は、病院情報管理装置４００〜公的医療費助成制度管理装置９００が保持する情報を集約して、自己の記憶装置へ記憶し、患者である助成制度提示システムＳの利用者（以降、利用者と称す）が利用可能な助成制度の候補を選択し、利用者端末装置３００を介して利用者へ提示する装置である（詳細後記）。
認証装置２００は、利用者を認証し、助成制度提示システムＳへのログインを許可するか否かを判定する装置である（詳細後記）。
利用者端末装置３００は、利用者が操作する携帯電話やパーソナルコンピュータ等の一般的なコンピュータである（詳細後記）。
【００１５】
病院情報管理装置４００は、利用者の病状・処置・経過等を記録した診療記録（カルテ情報）や、診療に対する会計・レセプト（医事会計情報）を管理する装置である。病院情報管理装置４００は、主として医療機関により運用される。利用者は複数の医療機関を利用することが想定されるため、病院情報管理装置４００は複数存在することを想定している。
健康保険管理装置５００は、公的な健康保険の制度に関する情報や、加入者情報・保険料納入状況等の、健康保険に関する情報を管理する装置である。健康保険管理装置５００は、主として健康保険組合により運用される。
民間保険管理装置６００は、民間の健康保険の制度に関する情報や、加入者情報・保険料納付状況等の、民間の健康保険に関する情報を管理する装置である。民間保険管理装置６００は、主として民間保険会社により運用される。利用者は複数の民間保険会社を利用することが想定されるため、民間保険管理装置６００は複数存在することを想定している。
住民基本台帳管理装置７００は、市町村および特別区において、住民の居住関係の公証、選挙人名簿の登録、世帯と当該世帯の構成員（世帯主および世帯員）に関する情報、その他住民に関する記録である住民基本台帳を管理する装置である。住民基本台帳管理装置７００は、主として市町村および特別区により運用される。
地方自治体納税管理装置８００は、地方公共団体において、住民の納税状況・年収・職業や、地方公共団体が実施している助成制度に関する情報を管理する装置である。地方自治体納税管理装置８００は、主として地方公共団体により運用される。
公的医療費助成制度管理装置９００は、国が実施している医療費を助成する制度に関する情報を管理する装置である。公的医療費助成制度管理装置９００は、主として国により運用される。
【００１６】
（概要）
次に、図１および図２２を参照して、助成制度提示システムＳの概要について説明する。
図２２は、助成制度提示装置１００が、利用者が利用可能な助成制度の候補を選択する処理（助成制度選択処理）のシーケンス図である。
助成制度提示装置１００は、利用者端末装置３００から送信され、認証装置２００により認証された利用者属性情報２０に基づいて、自己の記憶装置に記憶されている各種マスタを検索し、利用者が利用可能な助成制度の候補を選択する。
一般的に、１つの助成制度に対して複数の条件が課せられることが多く、全ての条件を満たす場合に、利用者は当該助成制度を利用することが可能となる。助成制度提示装置１００は、助成制度ごとに定められた条件の１つ１つに対し、各種マスタを検索して、利用者が条件を満たしているか否かを判定する。そして、助成制度提示装置１００は、利用者が全ての条件を満たしていると判定した場合、当該助成制度を当該利用者の利用可能な助成制度の候補として選択する。
【００１７】
（助成制度提示装置）
図２は、助成制度提示装置１００の構成を説明する図である。
助成制度提示装置１００は、演算装置１１０、記憶装置１２０、情報送受信装置１３０、出力装置１４０および入力装置１５０を含んで構成される。
【００１８】
演算装置１１０は、プログラムである助成制度管理部１１１（詳細後記）を実行して、助成制度提示装置１００を制御する装置である。
記憶装置１２０は、例えばハードディスクやＲＡＭ（Random Access Memory）であり、利用者情報マスタ群１２１（詳細後記）、助成制度内容管理マスタ群１２２（詳細後記）および利用者別助成制度候補テーブル１２３を記憶する装置である。利用者別助成制度候補テーブル１２３は、利用者が利用可能な助成制度の候補を記憶する。
情報送受信装置１３０は、他の装置の入出力インタフェースとの間で、情報のやり取りを行う装置である。情報送受信装置１３０は、他の装置との間で、ネットワーク１０を介して利用者属性情報２０および助成制度情報３０のやり取りを行う。また、情報送受信装置１３０は、認証装置２００との間で、利用者属性情報２０および助成制度情報３０のやり取りを行う。
出力装置１４０は、例えばディスプレイであり、助成制度提示装置１００の操作画面を表示する装置である。
入力装置１５０は、例えばキーボードやマウスであり、助成制度提示装置１００の操作者からの指示を受け付ける。
【００１９】
（認証装置）
図３は、認証装置２００の構成を説明する図である。
認証装置２００は、演算装置２１０、記憶装置２２０、情報送受信装置２３０、出力装置２４０および入力装置２５０を含んで構成される。
【００２０】
演算装置２１０は、プログラムである認証装置制御部２１１（詳細後記）を実行して、認証装置２００を制御する装置である。
記憶装置２２０は、例えばハードディスクやＲＡＭであり、登録済利用者情報管理マスタ２２１を記憶する装置である。登録済利用者情報管理マスタ２２１は、助成制度提示システムＳの利用者を認証するための情報であり、個人ＩＤおよびパスワードが対応付けられて記憶されている。
情報送受信装置２３０は、他の装置の入出力インタフェースとの間で、情報のやり取りを行う装置である。情報送受信装置２３０は、助成制度提示装置１００との間で、利用者属性情報２０および助成制度情報３０のやり取りを行う。また、情報送受信装置２３０は、利用者端末装置３００との間で、利用者属性情報２０、助成制度情報３０および認証情報４０のやり取りを行う。
出力装置２４０は、例えばディスプレイであり、認証装置２００の操作画面を表示する装置である。
入力装置２５０は、例えばキーボードやマウスであり、認証装置２００の操作者からの指示を受け付ける。
【００２１】
（利用者端末装置）
図４は、利用者端末装置３００の構成を説明する図である。
利用者端末装置３００は、演算装置３１０、記憶装置３２０、情報送受信装置３３０、出力装置３４０および入力装置３５０を含んで構成される。
【００２２】
演算装置３１０は、プログラムである利用者端末装置制御部３１１（詳細後記）を実行して、利用者端末装置３００を制御する装置である。
記憶装置３２０は、例えばハードディスクやＲＡＭであり、利用者端末装置制御部３１１が実行する際のデータ等を記憶する装置である。
情報送受信装置３３０は、他の装置の入出力インタフェースとの間で、情報のやり取りを行う装置である。情報送受信装置３３０は、認証装置２００との間で、利用者属性情報２０、助成制度情報３０および認証情報４０のやり取りを行う。
出力装置３４０は、例えばディスプレイであり、利用者端末装置３００の操作画面を表示する装置である。
入力装置３５０は、例えばキーボードやマウスであり、利用者端末装置３００の操作者（利用者）からの指示を受け付ける。
【００２３】
以上の各装置の各機能や各部は、それぞれの演算装置が記憶装置に格納されたプログラムを実行することにより、具現化される。また、各プログラムは、予め各記憶装置に記憶されていても良いし、必要に応じて、当該装置が利用可能な、脱着可能な記憶媒体や、ネットワーク１０を通じて、他の装置から導入されてもよい。
【００２４】
（利用者情報マスタ群）
次に、図５〜図８を参照して、利用者情報マスタ群１２１を説明する。
図５は、利用者情報マスタ１２１１の一例を説明する図である。
図６は、世帯情報マスタ１２１２の一例を説明する図である。
図７は、利用者支払情報テーブル１２１３の一例を説明する図である。
図８は、支払内訳テーブル１２１４の一例を説明する図である。
【００２５】
利用者情報マスタ群１２１は、利用者が医療機関を利用した際の記録を統合的に管理し記憶している情報である。なお、利用者情報マスタ群１２１に記憶されている情報を、利用者情報という。
利用者情報マスタ群１２１は、利用者情報マスタ１２１１（図５）、世帯情報マスタ１２１２（図６）、利用者支払情報テーブル１２１３（図７）および支払内訳テーブル１２１４（図８）を含んで構成される。
【００２６】
（利用者情報マスタ）
図５に示す利用者情報マスタ１２１１は、利用者に関する情報と医療機関を利用した際の記録を関連付けて記憶している情報である。
利用者情報マスタ１２１１においては、個人ＩＤ（identifier）欄１２１１１に記憶された個人ＩＤに関連付けて、世帯ＩＤ欄１２１１２には世帯ＩＤが、医療機関番号欄１２１１３には医療機関番号が、請求番号欄１２１１４には請求番号が、記憶されている。
【００２７】
個人ＩＤ欄１２１１１の個人ＩＤは、利用者を一意に特定する識別子である。
世帯ＩＤ欄１２１１２の世帯ＩＤは、利用者が属する世帯を一意に特定する識別子である。
医療機関番号欄１２１１３の医療機関番号は、医療機関を一意に特定する識別子である。医療機関番号は、助成制度提示システムＳにおいて共通に使用され、予め助成制度提示装置１００が、病院名と関連付けて記憶しているものとする。
請求番号欄１２１１４の請求番号は、利用者が病気や怪我等で医療機関を利用した際の費用を、医療機関が利用者に対して請求したとき、当該請求を一意に特定する識別子である。
【００２８】
（世帯情報マスタ）
図６に示す世帯情報マスタ１２１２は、世帯と、世帯の構成員とを関連付けて記憶している情報である。
世帯情報マスタ１２１２においては、世帯ＩＤ欄１２１２１に記憶された世帯ＩＤに関連付けて、個人ＩＤ欄１２１２２には個人ＩＤが、氏名欄１２１２３には氏名が、生年月日欄１２１２４には生年月日が、性別欄１２１２５には性別区分が、住所ＩＤ欄１２１２６には地域ＩＤが、続柄欄１２１２７には続柄区分が、職業欄１２１２８には職業区分が、年収欄１２１２９には年収が、記憶されている。
【００２９】
世帯ＩＤ欄１２１２１の世帯ＩＤは、図５と同様である。
個人ＩＤ欄１２１２２の個人ＩＤは、図５と同様である。
氏名欄１２１２３の氏名は、利用者の氏名である。
生年月日欄１２１２４の生年月日は、利用者の氏名である。
性別欄１２１２５の性別区分は、性別を示す区分（１：男、２：女）である。
住所ＩＤ欄１２１２６の地域ＩＤは、利用者の居住する地域を示す識別子である。ここで、地域とは、都道府県や市区町村や町・字等で区画された範囲をいう。地域ＩＤには、郵便番号を用いてもよい。なお、地域ＩＤは、「日本国東京都」および「日本国東京都江戸川区」のように、包含関係も許されるものとする。
続柄欄１２１２７の続柄区分とは、利用者と世帯主との続柄を示す区分（１：本人、２：配偶者、３：子、・・・）である。
職業欄１２１２８の職業区分は、利用者の職業を示す区分（１：自営業、２：会社員、３：未就学児童、４：小学生、５：中学生、・・・）である。職業により、利用者が利用する健康保険が適切なものであるかを確認することが可能となる。例えば、職業が「自営業」である場合は、健康保険が「国民健康保険」であることが適切である。
年収欄１２１２９の年収は、利用者の年収である。年収は、「２００万円〜３００万円」のように範囲で示されてもよいし、「２００万円未満」や「６００万円以上」等のように上限・下限で示されてもよい。また、１年という期間に限定しない「収入」としてもよい。
【００３０】
（利用者支払情報テーブル）
図７に示す利用者支払情報テーブル１２１３は、利用者が医療機関に支払った金額を記憶している情報である。
利用者支払情報テーブル１２１３においては、個人ＩＤ欄１２１３１に記憶された個人ＩＤに関連付けて、医療機関番号欄１２１３２には医療機関番号が、請求番号欄１２１３３には請求番号が、請求額欄１２１３４には請求額が、支払額欄１２１３５には支払額が、診断病名ＩＤ欄１２１３６には病名ＩＤが、使用保険欄１２１３７には保険区分が、事由ＩＤ欄１２１３８には事由ＩＤが、記憶されている。
【００３１】
個人ＩＤ欄１２１３１の個人ＩＤは、図５と同様である。
医療機関番号欄１２１３２の医療機関番号は、図５と同様である。
請求番号欄１２１３３の請求番号は、図５と同様である。
請求額欄１２１３４の請求額は、医療機関が利用者へ金銭の支払いを請求した金額である。
支払額欄１２１３５の支払額は、医療機関からの請求に対し、利用者が支払った金額である。支払額が請求額に達していない場合は、未納金が存在することを示している。
診断病名ＩＤ欄１２１３６の病名ＩＤは、医師により診断された利用者の病名を一意に特定する識別子である。病名ＩＤは、後記する病名マスタにおいて定義されている。
使用保険欄１２１３７の保険区分は、利用者が使用した健康保険を示す区分（０１：協会けんぽ、０２：船員保険、０３：日雇一般、０６：組合健保、０８：国民健康保険（本人）、０９：国民健康保険（家族）・・・）である。なお、健康保険を使用しない場合の保険区分は、「００」（自費）である。
事由ＩＤ欄１２１３８の事由ＩＤは、利用者が医療機関を利用することとなった事由を一意に特定する識別子である。事由ＩＤは、後記する事由ＩＤテーブルにおいて定義されている。
【００３２】
（支払内訳テーブル）
図８に示す支払内訳テーブル１２１４は、利用者支払情報テーブル１２１３（図７）の内訳を管理し記憶している情報である。
支払内訳テーブル１２１４においては、個人ＩＤ欄１２１４１に記憶された個人ＩＤに関連付けて、医療機関番号欄１２１４２には医療機関番号が、請求番号欄１２１４３には請求番号が、科目欄１２１４４には科目ＩＤが、入外区分欄１２１４５には入外区分が、診療開始日欄１２１４６には診療開始日が、診療終了日欄１２１４７には診療終了日が、科目別請求額欄１２１４８には科目別請求額が、記憶されている。
【００３３】
個人ＩＤ欄１２１４１の個人ＩＤは、図５と同様である。
医療機関番号欄１２１４２の医療機関番号は、図５と同様である。
請求番号欄１２１４３の請求番号は、図５と同様である。
科目欄１２１４４の科目ＩＤは、利用者が病気や怪我等で医療機関を利用した際の費用を区分けしたものである科目を、一意に特定する識別子である。科目ＩＤは、後記する科目ＩＤマスタにおいて定義されている。
入外区分欄１２１４５の入外区分は、診療が入院により行われたか、外来により行われたかを示す区分である。入外区分は「１」が入院を示し、「０」が外来を示す。
診療開始日欄１２１４６の診療開始日は、医療機関が利用者（患者）の診療を開始した日付である。
診療終了日欄１２１４７の診療終了日は、医療機関が利用者（患者）の診療を終了した日付である。なお、診療開始日および診療終了日は対になっており、両者が同日付の場合は「外来」を示す。
科目別請求額欄１２１４８の科目別請求額は、利用者が病気や怪我等で医療機関を利用した際の費用を医療機関が利用者へ請求したとき、その請求額を構成する、科目ごとの請求額である。
【００３４】
（助成制度内容管理マスタ群）
図９〜図１５は、助成制度内容管理マスタ群１２２の一例を説明する図である。
図９は、制度マスタ１２２１の一例を説明する図である。
図１０は、条件マスタ１２２２の一例を説明する図である。
図１１は、病名マスタ１２２３の一例を説明する図である。
図１２は、事由ＩＤテーブル１２２４の一例を説明する図である。
図１３は、地域ＩＤテーブル１２２５の一例を説明する図である。
図１４は、科目ＩＤマスタ１２２６の一例を説明する図である。
図１５は、助成内容マスタ１２２７の一例を説明する図である。
【００３５】
助成制度内容管理マスタ群１２２は、助成制度を利用することにより受けることが可能となる利益の内容（助成内容）および助成制度を利用するために課される条件（利用条件）を定義し記憶している情報である。助成制度内容管理マスタ群１２２は、助成制度提示装置１００が、健康保険管理装置５００〜公的医療費助成制度管理装置９００（図１参照）から収集した情報である。
助成制度内容管理マスタ群１２２は、制度マスタ１２２１（図９参照）、条件マスタ１２２２（図１０参照）、病名マスタ１２２３（図１１参照）、事由ＩＤテーブル１２２４（図１２参照）、地域ＩＤテーブル１２２５（図１３参照）、科目ＩＤマスタ１２２６（図１４参照）および助成内容マスタ１２２７（図１５参照）を含んで構成される。
【００３６】
（制度マスタ）
図９に示す制度マスタ１２２１は、助成制度、助成内容および条件を関連付けて記憶している情報である。
制度マスタ１２２１においては、制度ＩＤ欄１２２１１に記憶された制度ＩＤに関連付けて、制度名称欄１２２１２には制度名称が、条件ＩＤ欄１２２１３には条件ＩＤが、助成内容ＩＤ欄１２２１４には助成内容ＩＤが、背反制度ＩＤ欄１２２１５には制度ＩＤが、記憶されている。
【００３７】
制度ＩＤ欄１２２１１の制度ＩＤは、助成制度を一意に特定する識別子である。
制度名称欄１２２１２の制度名称は、助成制度の名称である。
条件ＩＤ欄１２２１３の条件ＩＤは、助成制度を利用するために課せられる条件を一意に特定する識別子である。条件ＩＤは、後記する条件マスタ１２２２（図１０）において定義され記憶されている。
助成内容ＩＤ欄１２２１４の助成内容ＩＤは、助成内容を一意に特定する識別子である。助成内容ＩＤは、後記する助成内容マスタ１２２７（図１５）において定義され記憶されている。
背反制度ＩＤ欄１２２１５の制度ＩＤは、制度ＩＤ欄１２２１１に記憶されている制度ＩＤと併せて利用することができない助成制度（背反助成制度）の制度ＩＤ（背反制度ＩＤ）である。
【００３８】
（条件マスタ）
図１０に示す条件マスタ１２２２は、助成制度を利用するために課せられる条件を定義し記憶している情報である。助成制度を利用するために課せられる条件は、１つの助成制度に対して複数の条件が課せられることが多いので、条件マスタ１２２２は、これら複数の条件の組み合わせを定義し記憶している情報である。
条件マスタ１２２２においては、条件ＩＤ欄１２２２１に記憶された条件ＩＤに関連付けて、対象病名ＩＤ欄１２２２２には病名ＩＤが、対象事由ＩＤ欄１２２２３には事由ＩＤが、対象科目ＩＤ欄１２２２４には科目ＩＤが、対象入外区分欄１２２２５には入外区分が、対象地域ＩＤ欄１２２２６には地域ＩＤが、世帯年収欄１２２２７には世帯年収が、記憶されている。
【００３９】
条件ＩＤ欄１２２２１の条件ＩＤは、図９と同様である。
対象病名ＩＤ欄１２２２２の病名ＩＤは、病名を一意に特定する識別子である。病名ＩＤは、後記する病名マスタ１２２３（図１１）において定義され記憶されている。
対象事由ＩＤ欄１２２２３の事由ＩＤは、病気の原因（事由）を一意に特定する識別子である。事由ＩＤは、後記する事由ＩＤテーブル１２２４（図１２）において定義され記憶されている。
対象科目ＩＤ欄１２２２４の科目ＩＤは、図８と同様である。科目ＩＤは、後記する科目ＩＤマスタ１２２６（図１４）において定義され記憶されている。
対象入外区分欄１２２２５の入外区分は、図８と同様である。
対象地域ＩＤ欄１２２２６の地域ＩＤは、都道府県や市区町村や町・字等で区画された地域を一意に示す識別子である。地域ＩＤは、後記する地域ＩＤテーブル１２２５（図１３）において定義され記憶されている。
世帯年収欄１２２２７の世帯年収は、世帯の構成員の年収を合算した値である。世帯年収は、図６の年収と同様に、範囲で示されてもよいし、上限・下限で示されてもよい。世帯年収も、図６の年収と同様に、１年という期間に限定しない「収入」としてもよい。
【００４０】
（病名マスタ）
図１１に示す病名マスタ１２２３は、病名ＩＤを定義し記憶している情報である。
病名マスタ１２２３においては、病名ＩＤ欄１２２３１に記憶された病名ＩＤに関連付けて、病名欄１２２３２には病名が、助成対象区分欄１２２３３には助成対象区分が、記憶されている。
【００４１】
病名ＩＤ欄１２２３１の病名ＩＤは、図１０と同様である。
病名欄１２２３２の病名は、病気の名称である。
助成対象区分欄１２２３３の助成対象区分は、助成制度の対象であるか否かを示す区分である。助成対象区分は、「１」が助成制度の対象であることを示し、「０」が助成制度の対象でないことを示す。
【００４２】
（事由ＩＤテーブル）
図１２に示す事由ＩＤテーブル１２２４は、事由ＩＤを定義し記憶している情報である。
事由ＩＤテーブル１２２４においては、事由ＩＤ欄１２２４１に記憶された事由ＩＤに関連付けて、事由欄１２２４２には事由が、記憶されている。
【００４３】
事由ＩＤ欄１２２４１の事由ＩＤは、図１０と同様である。
事由欄１２２４２の事由は、利用者が医療機関を利用することとなった事由である。
【００４４】
（地域ＩＤテーブル）
図１３に示す地域ＩＤテーブル１２２５は、地域ＩＤを定義し記憶している情報である。
地域ＩＤテーブル１２２５においては、地域ＩＤ欄１２２５１に記憶された地域ＩＤに関連付けて、地域名欄１２２５２には地域名が、記憶されている。
【００４５】
地域ＩＤ欄１２２５１の地域ＩＤは、図１０と同様である。
地域名欄１２２５２の地域名は、地域の名称である。
【００４６】
（科目ＩＤマスタ）
図１４に示す科目ＩＤマスタ１２２６は、科目ＩＤを定義し記憶している情報である。
科目ＩＤマスタ１２２６においては、科目ＩＤ欄１２２６１に記憶された科目ＩＤに関連付けて、科目名欄１２２６２には科目名が、健保内外区分欄１２２６３には健保内外区分が、記憶されている。
【００４７】
科目ＩＤ欄１２２６１の科目ＩＤは、図８と同様である。
科目名欄１２２６２の科目名は、科目の名称である。
健保内外区分欄１２２６３の健保内外区分は、健康保険の適用が認められる診療であるか否かを示す区分である。健保内外区分は、「１」が健康保険の適用が認められる診療であることを示し、「０」が健康保険の適用が認めらない診療であることを示す。
【００４８】
（助成内容マスタ）
図１５に示す助成内容マスタ１２２７は、助成内容を定義し記憶している情報である。
助成内容マスタ１２２７においては、助成内容ＩＤ欄１２２７１に記憶された助成内容ＩＤに関連付けて、助成金額欄１２２７２には助成金額が、上限金額欄１２２７３には上限金額が、利用可能期間欄１２２７４欄には利用可能期間が、利用可能回数欄１２２７５には利用回数が、支払方法欄１２２７６には支払方法区分が、記憶されている。
【００４９】
助成内容ＩＤ欄１２２７１の助成内容ＩＤは、図９と同様である。
助成金額欄１２２７２の助成金額は、１回の助成につき援助される金額である。
上限金額欄１２２７３の上限金額は、助成金額の上限値である。１つの助成制度につき複数回の助成が認められる場合、上限金額を設定することで、無制限に認めることを防ぐことができる。
利用可能期間欄１２２７４の利用可能期間は、助成制度を利用することができる期間である。利用可能期間は、始期および終期のどちらか一方のみを指定することもできる。図１５は、利用可能期間に始期のみを指定した例である。利用可能期間は、「２０１０／０４／０１」のように１日のみを指定することもできる。
利用可能回数欄１２２７５の利用可能回数は、１つの助成制度につき、助成が認められる回数の上限値である。１つの助成制度につき複数回の助成が認められる場合、利用可能回数を設定することで、無制限に認めることを防ぐことができる。
支払方法欄１２２７６の支払方法区分は、助成金額の支払方法を示す区分である。支払方法区分は、「１」が償還払いを示し、「２」が療養の給付を示す。「償還払い」とは、利用者が費用を医療機関へいったん支払い、その後、助成制度の利用によって払い戻しを受けることをいう。「療養の給付」とは、医療機関において診療を受ける等、必要な療養そのものを、現物として給付することをいう。
【００５０】
（ログイン画面および利用者情報登録画面）
図１６を参照して、利用者端末装置３００の利用者端末装置制御部３１１が出力装置３４０に表示するログイン画面１６１０および利用者情報登録画面１６２０について説明する。図１６（ａ）に示すログイン画面１６１０は、利用者が助成制度提示システムＳを利用する際に表示される画面を説明する図である。図１６（ｂ）に示す利用者情報登録画面１６２０は、利用者が助成制度提示システムＳを利用するために利用者登録を行う際に表示される画面を説明する図である。
【００５１】
ログイン画面１６１０は、個人ＩＤ欄１６１１、パスワード欄１６１２、ログインボタン１６１３、キャンセルボタン１６１４および登録画面へのリンク１６１５を含んで構成される。
個人ＩＤ欄１６１１は、利用者の個人ＩＤを入力するための欄である。
パスワード欄１６１２は、利用者のパスワードを入力するための欄である。
ログインボタン１６１３は、助成制度提示システムＳにログインするためのボタンである。
キャンセルボタン１６１４は、ログイン画面１６１０を終了するためのボタンである。
登録画面へのリンク１６１５は、利用者情報登録画面１６２０を表示するためのリンクである。
【００５２】
利用者情報登録画面１６２０は、氏名欄１６２１、生年月日欄１６２２、性別欄１６２３、住所欄１６２４、登録ボタン１６２５およびキャンセルボタン１６２６を含んで構成される。
氏名欄１６２１は、利用者の氏名を表示する欄である。
生年月日欄１６２２は、利用者の生年月日を表示する欄である。
性別欄１６２３は、利用者の性別を表示する欄である。
住所欄１６２４は、利用者の住所を表示する欄である。
登録ボタン１６２５は、氏名欄１６２１〜住所欄１６２４の情報を確認し、利用者登録を行う指示を行うためのボタンである。
キャンセルボタン１６２６は、利用者登録を中止するためのボタンである。
なお、利用者情報登録画面１６２０には、世帯の構成員ごとの情報が表示される。
【００５３】
（利用者情報参照画面）
図１７を参照して、利用者端末装置３００の利用者端末装置制御部３１１が出力装置３４０に表示する利用者情報参照画面１７００について説明する。利用者情報参照画面１７００は、助成制度提示装置１００が選択した、利用者が利用可能な助成制度の候補の有無を表示する画面である。
利用者が、図１６に示すログイン画面１６１０により助成制度提示システムＳにログインすると、図１７に示す利用者情報参照画面１７００が表示される。
【００５４】
利用者情報参照画面１７００は、氏名欄１７１１、生年月日欄１７１２、性別欄１７１３、年齢欄１７１４、住所欄１７１５、氏名欄１７２１、病院名欄１７２２、請求額欄１７２３、入外区分欄１７２４、診療科欄１７２５、診療開始日欄１７２６、診療終了日欄１７２７および利用可能助成制度欄１７２８を含んで構成される。
【００５５】
氏名欄１７１１は、利用者の氏名を表示する欄である。
生年月日欄１７１２は、利用者の生年月日を表示する欄である。
性別欄１７１３は、利用者の性別を表示する欄である。
年齢欄１７１４は、利用者の年齢を表示する欄である。
住所欄１７１５は、利用者の住所を表示する欄である。
【００５６】
氏名欄１７２１は、利用者の氏名を表示する欄である。
病院名欄１７２２は、病院の名称（病院名）を表示する欄である。
請求額欄１７２３は、請求額を表示する欄である。
入外区分欄１７２４は、入外区分を表示する欄である。
診療科欄１７２５は、利用者が診療を受けた科を表示する欄である。
診療開始日欄１７２６は、診療を開始した日である。
診療終了日欄１７２７は、診療を終了した日である。
利用可能助成制度欄１７２８は、利用者が利用可能な助成制度の候補の有無を表示する欄である。
【００５７】
なお、氏名欄１７２１〜利用可能助成制度欄１７２８を、利用者負担金情報と呼ぶ。この利用者負担金情報は、１つの請求番号につき１つのレコードが表示される。換言すれば、利用者負担金情報のレコードは、請求番号と関連付けられている。また、利用者が属する世帯の他の構成員に関する利用者負担金情報も表示される。
【００５８】
そして、利用可能助成制度欄１７２８は、利用者が利用可能な助成制度の候補の制度ＩＤと関連付けられている。
利用可能助成制度欄１７２８に表示されている「有り」を利用者がマウス操作等により押下すると、関連付けられている制度ＩＤ（助成制度）の詳細情報が利用者端末装置３００の出力装置３４０に表示される。この画面が、図１８に示す負担金詳細画面１８００である。
【００５９】
（負担金詳細画面）
図１８を参照して、利用者端末装置３００の利用者端末装置制御部３１１が出力装置３４０に表示する負担金詳細画面１８００について説明する。負担金詳細画面１８００は、助成制度提示装置１００が選択した、利用者が利用可能な助成制度の候補に関する詳細情報を表示する画面である。
【００６０】
負担金詳細画面１８００は、Ｎｏ欄１８１１、病院名欄１８１２、診療科欄１８１３、請求額欄１８１４、入外区分欄１８１５、診療開始日欄１８１６、診療終了日欄１８１７、使用保険欄１８２１、病名欄１８２２、事由欄１８２３、助成制度Ｎｏ欄１８３１、助成制度名欄１８３２、制度使用後利用者負担金額欄１８３３および備考欄１８３４を含んで構成される。
【００６１】
Ｎｏ欄１８１１は、利用者が病気や怪我等で医療機関を利用した際の費用を、医療機関が利用者に対して請求したとき、当該請求１つを１レコードとして表示する際に、便宜的に割り当てた番号を表示する欄である。当該番号は、換言すれば、請求番号１つを１レコードとして表示する際に、便宜的に割り当てた番号である。
病院名欄１８１２は、病院名を表示する欄である。
診療科欄１８１３は、利用者が診療を受けた科を表示する欄である。
請求額欄１８１４は、請求額を表示する欄である。
入外区分欄１８１５は、入外区分を表示する欄である。
診療開始日欄１８１６は、診療開始日を表示する欄である。
診療終了日欄１８１７は、診療終了日を表示する欄である。
【００６２】
使用保険欄１８２１は、利用者が使用した健康保険を表示する欄である。
病名欄１８２２は、病名を表示する欄である。
事由欄１８２３は、利用者が医療機関を利用することとなった事由を表示する欄である。
【００６３】
助成制度Ｎｏ欄１８３１は、利用者が利用可能な助成制度の候補１つを１レコードとして表示する際に、便宜的に割り当てた番号を表示する欄である。
助成制度名欄１８３２は、助成制度の名称である。
制度使用後利用者負担金額欄１８３３は、助成制度を使用した場合に、利用者が病気や怪我等で医療機関を利用した際の費用として医療機関へ支払う金額（利用者負担金額）である。利用者負担金額は、請求額から助成金額を減算した値である。利用者負担金額の少ない順に、助成制度の候補を表示することで、利用者の目に留まりやすくなり、利用者は自身に最適な助成制度を把握することが可能となる。
備考欄１８３４は、備考を表示する欄である。備考欄１８３４には、背反助成制度に関する情報を表示してもよい（詳細後記）。
【００６４】
（処理内容）
次に、図１９を参照して、助成制度提示システムＳの処理内容について説明する。
図１９は、助成制度提示システムＳの処理内容を説明するシーケンス図である。図１９においては、図１に示す病院情報管理装置４００〜公的医療費助成制度管理装置９００を「各種関連システム」と表記している。
【００６５】
図１９の処理の前提として、助成制度提示装置１００の助成制度内容管理マスタ群１２２（図２参照）には、図９〜図１５に示す情報が予め登録されているものとする。また、これらの図９〜図１５に示す情報は、健康保険管理装置５００〜公的医療費助成制度管理装置９００から収集されたものであり、健康保険管理装置５００〜公的医療費助成制度管理装置９００は、自己が保持する情報が更新されたとき、当該更新された情報を助成制度提示装置１００へ送信するものとする。これにより、図９〜図１５に示す情報は最新のものを保持することとなる。
【００６６】
また、利用者が助成制度提示システムＳを利用したいと思った場合、助成制度提示システムＳの管理者へ利用申請を行う。すると、助成制度提示システムＳの管理者は認証装置２００（図３参照）を操作して、当該利用者に関する情報（図１６（ａ）（ｂ）参照）を、認証装置２００の登録済利用者情報管理マスタ２２１へ仮登録し、仮の個人ＩＤおよびパスワードを当該利用者へ通知する。
そして、利用者は、ログイン画面１６１０（図１６（ａ）参照）に前記通知された個人ＩＤおよびパスワードを入力し、マウス操作等により登録画面へのリンク１６１５を押下する。すると、利用者端末装置３００の利用者端末装置制御部３１１（図３参照）は、認証要求を認証装置２００へ送信する。
【００６７】
ステップＳ１０１において、利用者端末装置３００の利用者端末装置制御部３１１は、認証要求を認証装置２００へ送信する。具体的には、利用者端末装置３００の利用者端末装置制御部３１１は、次のような処理を行う。
第一に、利用者端末装置３００の利用者端末装置制御部３１１は、出力装置３４０にログイン画面１６１０を表示し、利用者がキーボード操作等により入力した個人ＩＤおよびパスワードを受け付ける。第二に、利用者端末装置３００の利用者端末装置制御部３１１は、利用者がマウス操作等により登録画面へのリンク１６１５を押下したことを検知する。第三に、利用者端末装置３００の利用者端末装置制御部３１１は、認証要求を認証装置２００へ送信する。ここで、認証要求には、認証情報４０が含まれる。
【００６８】
ステップＳ１０２において、認証装置２００の認証装置制御部２１１は、認証処理を行う。具体的には、認証装置２００の認証装置制御部２１１は、次のような処理を行う。
第一に、認証装置２００の認証装置制御部２１１は、認証情報４０に含まれる個人ＩＤおよびパスワードが一致する情報が、登録済利用者情報管理マスタ２２１に記憶されているか否かを判定する。認証情報４０に含まれる個人ＩＤおよびパスワードが一致する情報が、登録済利用者情報管理マスタ２２１に記憶されている場合、認証装置２００の認証装置制御部２１１は、認証ＯＫと判定する。一方、認証情報４０に含まれる個人ＩＤおよびパスワードが一致する情報が、登録済利用者情報管理マスタ２２１に記憶されていない場合、認証装置２００の認証装置制御部２１１は、認証ＮＧと判定する。
第二に、認証装置２００の認証装置制御部２１１は、認証結果（認証ＯＫまたは認証ＮＧ）を、利用者端末装置３００へ送信する。なお、認証結果が認証ＯＫの場合、認証装置２００の認証装置制御部２１１は、利用者属性情報２０も合わせて送信する。ここで、利用者属性情報２０には、登録済利用者情報管理マスタ２２１に記憶され、利用者情報登録画面１６２０（図１６（ｂ））に表示する情報が含まれる。
【００６９】
ステップＳ１０３において、利用者端末装置３００の利用者端末装置制御部３１１は、登録要求を認証装置２００へ送信する。具体的には、利用者端末装置３００の利用者端末装置制御部３１１は、次のような処理を行う。
認証装置２００から受信した認証結果が認証ＯＫの場合、利用者端末装置３００の利用者端末装置制御部３１１は、出力装置３４０に利用者情報登録画面１６２０を表示する。利用者が利用者情報登録画面１６２０に表示された情報を確認し、マウス操作等により登録ボタン１６２５を押下すると、利用者端末装置３００の利用者端末装置制御部３１１は、登録要求を認証装置２００へ送信する。ここで、登録要求には、利用者属性情報２０および認証情報４０が含まれる。
一方、認証装置２００から受信した認証結果が認証ＮＧの場合、利用者端末装置３００の利用者端末装置制御部３１１は、個人ＩＤおよびパスワードの再入力を利用者へ促す。
【００７０】
ステップＳ１０４において、認証装置２００の認証装置制御部２１１は、利用者登録を行う。具体的には、認証装置２００の認証装置制御部２１１は、次のような処理を行う。
第一に、認証装置２００の認証装置制御部２１１は、利用者属性情報２０に含まれる、利用者情報登録画面１６２０に表示され、利用者により確認された情報を、登録済利用者情報管理マスタ２２１に記憶する。なお、前提条件として、登録済利用者情報管理マスタ２２１には既に同様の情報が仮登録されている。ステップＳ１０４において再度記憶するのは、利用者が確認を終えた情報を本登録するためである。
第二に、認証装置２００の認証装置制御部２１１は、個人ＩＤおよびパスワードを生成し、登録済利用者情報管理マスタ２２１に記憶する。なお、前提条件として、登録済利用者情報管理マスタ２２１には既に個人ＩＤおよびパスワードが仮登録されている。ステップＳ１０４において再度記憶するのは、個人ＩＤおよびパスワードを本登録するためである。
第三に、認証装置２００の認証装置制御部２１１は、利用者登録の完了を助成制度提示装置１００へ送信する。
【００７１】
なお、ここで生成される個人ＩＤは、助成制度提示システムＳにおいて共通のものであり、各種関連システムにおいても共通に使用されている。一般的に、個人を特定する識別子は、各種関連システムが独自で管理するものであり、共通のものを使用しないことが多い。例えば、病院情報管理装置４００においては「患者ＩＤ」が使用され、健康保険管理装置５００においては「被保険者ＩＤ」が使用されている。
そこで、本実施形態においては、助成制度提示システムＳにおいて共通する識別子である個人ＩＤにより、個人を特定するものとする。
【００７２】
ステップＳ１０５において、助成制度提示装置１００の助成制度管理部１１１は、利用者情報取得要求を各種関連システムへ送信する。なお、利用者情報取得要求には、ステップＳ１０４の「第二」において登録された個人ＩＤを含む利用者属性情報２０が含まれる。
【００７３】
ステップＳ１０６において、各種関連システムの制御部は、利用者情報取得要求を受信する。
【００７４】
ステップＳ１０７において、各種関連システムの制御部は、利用者情報を助成制度提示装置１００へ送信する。具体的には、各種関連システムの制御部は、各自の記憶装置に保持する情報から、利用者情報取得要求に含まれる個人ＩＤに対応付けられている情報を抽出し、利用者属性情報２０に含んで、助成制度提示装置１００へ送信する。なお、各種関連システムの制御部が抽出した情報には、図５〜図８に示す情報が含まれる。
ここで、各種関連システムの制御部が抽出した情報のうち、重複するものがあった場合は、更新日が新しいものを送信することとしてもよい。これにより、最新情報を優先するという情報収集方針を定めることが可能である。
【００７５】
ステップＳ１０８において、助成制度提示装置１００の助成制度管理部１１１は、利用者情報を受信する。
【００７６】
ステップＳ１０９において、助成制度提示装置１００の助成制度管理部１１１は、利用者情報を登録する。具体的には、助成制度提示装置１００の助成制度管理部１１１は、各種関連システムから受信した利用者属性情報２０に含まれる情報を、利用者情報マスタ群１２１（図２、図５〜図８参照）に登録する。
【００７７】
ステップＳ１１０において、助成制度提示装置１００の助成制度管理部１１１は、ステップＳ１０９における登録が完了した通知を、認証装置２００を介して利用者端末装置３００へ送信する。なお、当該通知には、利用者属性情報２０が含まれる。この利用者属性情報２０には、図１６（ａ）（ｂ）に表示する情報が含まれる。
なお、登録完了通知を受信した利用者端末装置３００の利用者端末装置制御部３１１は、受信した利用者属性情報２０に基づいて、ログイン画面１６１０（図１６（ａ）参照）および利用者情報登録画面１６２０（図１６（ｂ）参照）を再度表示してもよい。その際、仮登録された情報と本登録された情報とに不一致がある場合は、利用者へ不一致を知らせるためのメッセージや強調表示をしてもよい。これにより、利用者は自己に関する最新情報を知ることが可能となる。
【００７８】
以上、ステップＳ１０１〜Ｓ１１０を「初回登録処理」と呼ぶ。これから説明する処理は、初回登録処理が終了していることを前提とする処理である。
【００７９】
ステップＳ１２１において、利用者端末装置３００の利用者端末装置制御部３１１は、認証要求を認証装置２００へ送信する。具体的には、利用者端末装置３００の利用者端末装置制御部３１１は、ステップＳ１０１と同様の処理を行う。ステップＳ１０１と異なる点は、「第二」において、利用者端末装置３００の利用者端末装置制御部３１１が、利用者がマウス操作等によりログインボタン１６１３を押下したことを検知する点である。
【００８０】
ステップＳ１２２において、認証装置２００の認証装置制御部２１１は、認証処理を行う。具体的には、認証装置２００の認証装置制御部２１１は、ステップＳ１０２と同様の処理を行う。ステップＳ１０２と異なる点の一つめは、「第二」において、認証結果がＯＫの場合、利用者端末装置３００の利用者端末装置制御部３１１は、認証結果を助成制度提示装置１００にも送信する点である。二つめは、利用者属性情報２０には、個人ＩＤと、当該個人ＩＤが認証ＯＫであることを示す情報が含まれる点である。そして、当該利用者属性情報２０を受信した助成制度提示装置１００の助成制度管理部１１１は、利用者端末装置３００との接続が可能となる。
【００８１】
ステップＳ１２３において、利用者端末装置３００の利用者端末装置制御部３１１は、助成制度選択要求を認証装置２００へ送信する。具体的には、利用者端末装置３００の利用者端末装置制御部３１１は、次のような処理を行う。
認証装置２００から受信した認証結果が認証ＯＫの場合、利用者端末装置３００の利用者端末装置制御部３１１は、助成制度選択要求を助成制度提示装置１００へ送信する。ここで、助成制度選択要求には、個人ＩＤを含む利用者属性情報２０が含まれる。
一方、認証装置２００から受信した認証結果が認証ＮＧの場合、利用者端末装置３００の利用者端末装置制御部３１１は、個人ＩＤおよびパスワードの再入力を利用者へ促す。
【００８２】
ステップＳ１２４において、助成制度提示装置１００の助成制度管理部１１１は、助成制度選択処理を行う（詳細後記）。当該処理によって、利用者が利用可能な助成制度の候補が選択され、図１７に示す情報が出力される。
【００８３】
ステップＳ１２５において、助成制度提示装置１００の助成制度管理部１１１は、利用者が利用可能な助成制度の候補を、利用者端末装置３００へ送信する。具体的には、助成制度提示装置１００の助成制度管理部１１１は、利用者が利用可能な助成制度の候補および図１７に示す情報を含む利用者属性情報２０および助成制度情報３０を、利用者端末装置３００へ送信する。当該情報を受信した利用者端末装置３００の利用者端末装置制御部３１１は、利用者情報参照画面１７００（図１７参照）を出力装置３４０に表示する。
【００８４】
以上、ステップＳ１２１〜Ｓ１２５を「候補助成制度表示処理」と呼ぶ。これから説明する処理は、候補助成制度表示処理が終了していることを前提とする処理である。
【００８５】
ステップＳ１３１において、利用者端末装置３００の利用者端末装置制御部３１１は、利用者が利用を希望する助成制度の選択を受け付ける。具体的には、利用者端末装置３００の利用者端末装置制御部３１１は、利用者情報参照画面１７００の利用可能助成制度欄１７２８（図１７参照）が、利用者のマウス操作等により押下（選択）されたことを検知し、助成制度提示装置１００へ送信する。
【００８６】
ステップＳ１３２において、助成制度提示装置１００の助成制度管理部１１１は、制度背反チェック処理を行う（詳細後記）。当該処理によって、図１８に示す情報が出力される。
【００８７】
ステップＳ１３３において、助成制度提示装置１００の助成制度管理部１１１は、制度背反チェック処理の結果を、利用者端末装置３００へ送信する。具体的には、助成制度提示装置１００の助成制度管理部１１１は、図１８に示す情報を含む利用者属性情報２０および助成制度情報３０を、利用者端末装置３００へ送信する。
【００８８】
ステップＳ１３４において、利用者端末装置３００の利用者端末装置制御部３１１は、制度背反チェック処理の結果を出力装置３４０に表示する。
以上、ステップＳ１３１〜Ｓ１３４を「候補助成制度表示処理」と呼ぶ。
そして、処理を終了する。
【００８９】
（助成制度選択処理）
次に、図２０を参照して、助成制度提示装置１００の助成制度管理部１１１が行う助成制度選択処理（図１９のステップＳ１２４）について説明する。なお、助成制度選択処理においては、図１９のステップＳ１２２において認証装置２００から受信した個人ＩＤに関連付けて記憶されている情報（利用者本人の情報）または当該個人ＩＤに関連付けて記憶されている世帯ＩＤを含む情報（利用者が属する世帯の構成員の情報）を参照する。
図２０は、助成制度選択処理のフローチャートである。
【００９０】
ステップＳ２０１において、助成制度提示装置１００の助成制度管理部１１１は、利用者端末装置３００から送信された助成制度選択要求を検知する。
【００９１】
ステップＳ２０２において、助成制度提示装置１００の助成制度管理部１１１は、利用者情報マスタ群１２１（図１、図５〜図８参照）を参照する。
【００９２】
ステップＳ２０３において、助成制度提示装置１００の助成制度管理部１１１は、支払額欄１２１３５（図７参照）を参照し、支払額が「１」（円）以上のレコードが存在するか否かを判定する。
支払額が１円以上のレコードが存在する場合（ステップＳ２０３“Ｙｅｓ”）、ステップＳ２０４に進む。
支払額が１円以上のレコードが存在しない場合（ステップＳ２０３“Ｎｏ”）、ステップＳ２０５に進む。
【００９３】
ステップＳ２０４において、助成制度提示装置１００の助成制度管理部１１１は、突合処理（詳細後記）を行う。当該処理によって、利用者が利用可能な助成制度の候補が選択され、図１７に示す情報が出力される。
そして、図１９のステップＳ１２４に戻る。
【００９４】
ステップＳ２０５において、助成制度提示装置１００の助成制度管理部１１１は、助成対象が存在しないことを利用者端末装置３００に送信する。
そして、図１９のステップＳ１２４に戻る。
【００９５】
（突合処理）
次に、図２１および図２２を参照して、助成制度提示装置１００の助成制度管理部１１１が行う突合処理（図２０のステップＳ２０４）について説明する。この突合処理は、利用者情報マスタ群１２１（図２、図５〜図８参照）と助成制度内容管理マスタ群１２２（図２、図９〜図１５）とを比較（突合）し、利用者が利用可能な助成制度の候補を選択する処理である。
図２１は、突合処理のフローチャートである。図２２は、突合処理のシーケンス図である。
【００９６】
ステップＳ３０１において、助成制度提示装置１００の助成制度管理部１１１は、助成制度内容管理マスタ群１２２の各マスタの要素数をカウントし、記憶装置１２０へ記憶する。ここで、各マスタとは、病名マスタ１２２３（図１１参照）、事由ＩＤテーブル１２２４（図１２参照）、地域ＩＤテーブル１２２５（図１３参照）および科目ＩＤマスタ１２２６（図１４参照）をいう。また、要素数とは、レコード数をいう。
【００９７】
ステップＳ３０２において、助成制度提示装置１００の助成制度管理部１１１は、制度マスタ１２２１（図９参照）に登録されている全ての制度IＤに対し、ステップＳ３０５〜Ｓ３１０の処理を行う。
【００９８】
ステップＳ３０３において、助成制度提示装置１００の助成制度管理部１１１は、条件マスタ１２２２（図１０参照）を参照する。具体的には、助成制度提示装置１００の助成制度管理部１１１は、参照中の制度ＩＤに関連付いている条件ＩＤと一致する条件マスタ１２２２のレコードを参照する。
【００９９】
ステップＳ３０４において、助成制度提示装置１００の助成制度管理部１１１は、各マスタの比較順序を決定する。具体的には、助成制度提示装置１００の助成制度管理部１１１は、ステップＳ３０１において記憶した各マスタの要素数の小さい順に、比較順序（突合順序）を決定する。ここで、比較順序とは、参照中の条件マスタ１２２２（図１０参照）のレコードの各項目と、利用者情報マスタ群１２１（図２、図５〜図８参照）とを比較する際、条件マスタ１２２２のいずれの項目（対象病名ＩＤ欄１２２２２〜世帯年収欄１２２２７）から比較をするかを示すものである。
【０１００】
例えば、地域ＩＤテーブル１２２５（図１３参照）には「日本国北海道」〜「日本国沖縄県」の４７レコードが登録されており、科目ＩＤマスタ１２２６（図１４参照）には「入院料」〜「室料差額」の９９９９レコードが登録されているとする。そして、条件マスタ１２２２（図１０参照）には、地域ＩＤおよび科目ＩＤが設定されているレコードが登録されているとする。条件マスタ１２２２の当該レコードを参照中の場合、助成制度提示装置１００の助成制度管理部１１１は、１番目が地域ＩＤ、２番目が科目ＩＤ、のように比較順序を決定する。
【０１０１】
まず、助成制度提示装置１００の助成制度管理部１１１は、条件マスタ１２２２の地域ＩＤと一致する地域ＩＤを含む情報を、利用者情報マスタ群１２１（図２、図５〜図８参照）から検索する。次に、助成制度提示装置１００の助成制度管理部１１１は、条件マスタ１２２２の科目ＩＤと一致する科目ＩＤを含む情報を、利用者情報マスタ群１２１から検索する。地域ＩＤは４７個のＩＤしか存在しないため、９９９９個のＩＤが存在する科目ＩＤに比べて処理の負荷が軽くなり、処理速度の向上を図ることができる。
【０１０２】
ステップＳ３０５〜Ｓ３１０において、助成制度提示装置１００の助成制度管理部１１１は、ステップＳ３０４において決定した比較順序に基づいて、利用者情報マスタ群１２１（図２、図５〜図８参照）との比較を行う。なお、図２１において示す比較順序は一例である。
また、ステップＳ３０５〜Ｓ３１０は、全てのステップを行う必要はない。例えば、前記した例において、参照中の条件マスタ１２２２のレコードには、地域ＩＤおよび科目ＩＤが設定されており、他の項目は設定されていない。この場合、ステップＳ３０５、Ｓ３０６、Ｓ３０９を行う必要はない。
【０１０３】
なお、ステップＳ３０５〜Ｓ３１０は、請求番号ごとに行う。図２１に示す突合処理により、利用者情報参照画面１７００（図１７参照）に表示する情報が出力される。この突合処理は、医療機関からの請求に対し、利用者が利用可能な助成制度の候補を選択する処理である。換言すれば、請求番号ごとに、利用者が利用可能な助成制度の候補を特定する処理である。助成制度の利用条件に一部でも一致しない請求番号については、以降の比較を行わず（ステップＳ３０５〜Ｓ３０９“Ｎｏ”）、利用可能な助成制度がない旨を出力し、次の請求番号について比較（ステップＳ３０５〜Ｓ３０９）を行う。
【０１０４】
ステップＳ３０５において、助成制度提示装置１００の助成制度管理部１１１は、病名ＩＤが一致するか否かを判定する。具体的には、助成制度提示装置１００の助成制度管理部１１１は、条件マスタ１２２２（図１０参照）の病名ＩＤと一致する病名ＩＤを含む情報を、利用者支払情報テーブル１２１３（図７参照）から検索する。
【０１０５】
ステップＳ３０６において、助成制度提示装置１００の助成制度管理部１１１は、事由ＩＤが一致するか否かを判定する。具体的には、助成制度提示装置１００の助成制度管理部１１１は、条件マスタ１２２２（図１０参照）の事由ＩＤと一致する事由ＩＤを含む情報を、利用者支払情報テーブル１２１３（図７参照）から検索する。
【０１０６】
ステップＳ３０７において、助成制度提示装置１００の助成制度管理部１１１は、科目ＩＤが一致するか否かを判定する。具体的には、助成制度提示装置１００の助成制度管理部１１１は、条件マスタ１２２２（図１０参照）の科目ＩＤと一致する科目ＩＤを含む情報を、支払内訳テーブル１２１４（図８参照）から検索する。
【０１０７】
ステップＳ３０８において、助成制度提示装置１００の助成制度管理部１１１は、地域ＩＤが一致するか否かを判定する。具体的には、助成制度提示装置１００の助成制度管理部１１１は、条件マスタ１２２２（図１０参照）の地域ＩＤと一致する地域ＩＤを含む情報を、世帯情報マスタ１２１２（図６参照）から検索する。なお、地域ＩＤは包含関係も許されるため、条件マスタ１２２２の地域ＩＤが、世帯情報マスタ１２１２の地域ＩＤを包含する場合も、当該ステップにおいては「一致」と扱う。
【０１０８】
ステップＳ３０９において、助成制度提示装置１００の助成制度管理部１１１は、世帯年収が一致するか否かを判定する。具体的には、助成制度提示装置１００の助成制度管理部１１１は、条件マスタ１２２２（図１０参照）の世帯年収と一致する情報を、世帯情報マスタ１２１２（図６参照）から検索する。なお、世帯年収は、範囲や上限・下限で示されることもあるため、条件マスタ１２２２の世帯年収条件を、世帯情報マスタ１２１２の世帯年収（利用者の属する世帯の構成員の年収を合算した値）が満たす場合、当該ステップにおいては「一致」と扱う。
【０１０９】
ステップＳ３１０において、助成制度提示装置１００の助成制度管理部１１１は、制度ＩＤを記憶する。具体的には、助成制度提示装置１００の助成制度管理部１１１は、個人ＩＤと請求番号と制度ＩＤとを関連付けて、利用者別助成制度候補テーブル１２３（図２参照）に記憶する。
【０１１０】
ステップＳ３１１において、助成制度提示装置１００の助成制度管理部１１１は、次に登録されている制度ＩＤに進む（ステップＳ３０２に戻る）。
そして、図２０のステップＳ２０４に戻る。
【０１１１】
（制度背反チェック処理）
次に、図２３を参照して、助成制度提示装置１００の助成制度管理部１１１が行う制度背反チェック処理（図１９のステップＳ１３２）について説明する。この制度背反チェック処理は、利用者が利用可能な助成制度の候補が複数存在する場合に、それらを併せて利用することができるか否かを判定する処理である。換言すれば、背反助成制度を検索する処理である。この制度背反チェック処理により、図１８に示す負担金詳細画面１８００に表示する情報が出力される。
図２３は、制度背反チェック処理のフローチャートである。
【０１１２】
ステップＳ４０１において、助成制度提示装置１００の助成制度管理部１１１は、利用者負担金情報の選択を検知する。具体的には、助成制度提示装置１００の助成制度管理部１１１は、利用者情報参照画面１７００の利用可能助成制度欄１７２８（図１７参照）が、利用者のマウス操作等により押下（選択）されたことを検知する。
【０１１３】
ステップＳ４０２において、助成制度提示装置１００の助成制度管理部１１１は、選択された利用者負担金情報において、利用可能な助成制度の候補が複数存在するか否かを判定する。具体的には、助成制度提示装置１００の助成制度管理部１１１は、選択された利用者負担金情報に関連付けられた制度ＩＤが、複数存在するか否かを判定する。
制度ＩＤが複数存在する場合（ステップＳ４０２“Ｙｅｓ”）、ステップＳ４０３に進む。
制度ＩＤが複数存在しない場合（ステップＳ４０２“Ｎｏ”）、ステップＳ４０５に進む。
【０１１４】
ステップＳ４０３において、助成制度提示装置１００の助成制度管理部１１１は、背反助成制度があるか否かを判定する。具体的には、助成制度提示装置１００の助成制度管理部１１１は、選択された利用者負担金情報に関連付けられた複数の制度ＩＤにおいて、相互に背反制度ＩＤとする制度ＩＤがあるか否かを判定する。助成制度提示装置１００の助成制度管理部１１１は、選択された利用者負担金情報に関連付けられた複数の制度ＩＤごとに、背反助成制度があるか否かを判定する。
【０１１５】
第一に、助成制度提示装置１００の助成制度管理部１１１は、選択された利用者負担金情報に関連付けられた複数の制度ＩＤのうちの１つの制度ＩＤに着目する。
第二に、助成制度提示装置１００の助成制度管理部１１１は、当該制度ＩＤを制度マスタ１２２１（図９参照）の制度ＩＤ欄１２２１１から検索し、背反制度ＩＤ欄１２２１５の制度ＩＤ（背反制度ＩＤ）を取得する。
第三に、助成制度提示装置１００の助成制度管理部１１１は、「第二」において取得した背反制度ＩＤが、「第一」において着目した制度ＩＤ以外の他の制度ＩＤのいずれかと一致するか否かを判定する。
そして、相互に背反制度ＩＤとする制度ＩＤがある場合（ステップＳ４０３“Ｙｅｓ”）、ステップＳ４０４に進む。
そして、相互に背反制度ＩＤとする制度ＩＤがない場合（ステップＳ４０３“Ｎｏ”）、ステップＳ４０５に進む。
【０１１６】
ステップＳ４０４において、助成制度提示装置１００の助成制度管理部１１１は、背反制度ＩＤを記憶する。具体的には、助成制度提示装置１００の助成制度管理部１１１は、背反制度ＩＤを含む、図１８に示す負担金詳細画面１８００に表示する情報を利用者別助成制度候補テーブル１２３（図２参照）に記憶する。これにより、負担金詳細画面１８００に背反助成制度に関する情報を表示することができる。また、背反助成制度を表示しないようにしたり、不活性表示にしたりしてもよい。図１８に示す例では、備考欄１８３４に、背反助成制度に関する情報を表示している。また、助成制度Ｎｏ欄１８３１が「２」のレコードを表示しないようにしたり、不活性表示にしたりしてもよい。
そして、図１９のステップＳ１３２に戻る。
【０１１７】
ステップＳ４０５において、助成制度提示装置１００の助成制度管理部１１１は、結果を出力する。具体的には、助成制度提示装置１００の助成制度管理部１１１は、図１８に示す負担金詳細画面１８００に表示する情報を利用者別助成制度候補テーブル１２３（図２参照）に記憶する。
そして、図１９のステップＳ１３２に戻る。
【０１１８】
（まとめ）
本実施形態の助成制度提示装置１００によれば、利用者にとって最適な助成制度を提示することができるので、利用者が助成制度について調べたり、助成制度を利用するための条件を満たしているか否かを判断したり、複数の助成制度を比較したりすることが容易となる。また、利用者が自ら、自己に関する情報を参照することができるので、国や地方公共団体や健康保険組合や民間保険会社に、助成制度について問い合わせる手間と時間を省くことができる。これにより、助成制度の利用がより促進される効果も期待できる。
【０１１９】
（その他）
なお、前記した実施形態は、本発明を実施するための好適なものであるが、その実施形式はこれらに限定されるものではなく、本発明の要旨を逸脱しない範囲内において、種々変更することが可能である。
【０１２０】
例えば、図９〜図１５に示す情報は、当該情報が更新されたとき、当該更新された情報を助成制度提示装置１００へ送信されるものとしたが、所定の期間（１週間、１ヶ月）の更新情報をまとめて送信してもよい。
また、助成制度の条件は、前記したものに限られず、未納金が存在する場合は助成の対象外としてもよい。
【０１２１】
図１８の負担金詳細画面１８００においては、利用者負担金額の少ない順に助成制度の候補を表示したが、助成制度の利用可能期間の終了が迫っている順（終期の昇順）に表示してもよい。これにより、利用者は、助成制度の利用申請を急いで行うことができるので、利用する機会を失ってしまうという事態を避けることができる。
【０１２２】
また、図１８の負担金詳細画面１８００は、１つの請求番号（図１７の利用者負担金情報の１レコード）ごとに、複数の助成制度の候補を表示することとしたが、複数の請求番号につき、複数の助成制度の候補を表示してもよい。例えば、高額医療費助成制度のように、所定の期間の支払額が所定の金額を超えることを条件とする制度があるとする。この場合、図１７の利用者負担金情報のレコードを複数選択可能としてもよい。そして、図１８のＮｏ欄１８１１が「１」、「２」・・・のように、選択した利用者負担金情報のレコード数に応じて増え、当該レコードに関する情報が病院名欄１８１２〜診療終了日欄１８１７に表示されるようにしてもよい。
【０１２３】
また、図２３に示す制度背反チェック処理においては、図２１に示す助成制度選択処理において選択された助成制度が相互に背反助成制度であるか否かをチェックしたが、図９に示す制度マスタ１２２１に記憶されている全ての助成制度を対象として、チェックを行ってもよい。
【０１２４】
また、本実施形態においては、利用者が医療機関を利用し、費用の請求をされたことを前提としているが、医療機関を利用する前に、助成制度の検索を可能としてもよい。例えば、図１６のログイン画面１６１０を表示した後、条件入力画面を表示し、利用者が入力した条件に基づいて図１６のステップＳ１２４〜Ｓ１３４を行う。
これにより、利用者は医療機関を利用する前に、助成制度について調べることが可能となる。また、利用者が助成制度の存在を知ることで、医療機関を利用する契機となり、国民の健康増進に資することもできる。
【符号の説明】
【０１２５】
１０        ネットワーク
２０        利用者属性情報
３０        助成制度情報
４０        認証情報
１００      助成制度提示装置
１１０      演算装置（制御部）
１１１      助成制度管理部（制御部）
１２０      記憶装置（記憶部）
１２１      利用者情報マスタ群（利用者情報）
１２１１    利用者情報マスタ（利用者基本情報）
１２１２    世帯情報マスタ（世帯情報）
１２１３    利用者支払情報テーブル（利用者支払情報）
１２１４    支払内訳テーブル（支払内訳情報）
１２２      助成制度内容管理マスタ群（助成制度内容管理情報）
１２２１    制度マスタ（制度情報）
１２２２    条件マスタ（条件情報）
１２２３    病名マスタ（病名情報）
１２２４    事由ＩＤテーブル（事由ＩＤ情報）
１２２５    地域ＩＤテーブル（地域ＩＤ情報）
１２２６    科目ＩＤマスタ（科目ＩＤ情報）
１２２７    助成内容マスタ（助成内容情報）
１２３      利用者別助成制度候補テーブル（利用者別助成制度候補情報）
２００      認証装置
３００      利用者端末装置
４００      病院情報管理装置
５００      健康保険管理装置
６００      民間保険管理装置
７００      住民基本台帳管理装置
８００      地方自治体納税管理装置
９００      公的医療費助成制度管理装置
【図１】
2013114414.tif 000003
【図２】
2013114414.tif 000004
【図３】
2013114414.tif 000005
【図４】
2013114414.tif 000006
【図５】
2013114414.tif 000007
【図６】
2013114414.tif 000008
【図７】
2013114414.tif 000009
【図８】
2013114414.tif 000010
【図９】
2013114414.tif 000011
【図１０】
2013114414.tif 000012
【図１１】
2013114414.tif 000013
【図１２】
2013114414.tif 000014
【図１３】
2013114414.tif 000015
【図１４】
2013114414.tif 000016
【図１５】
2013114414.tif 000017
【図１６】
2013114414.tif 000018
【図１７】
2013114414.tif 000019
【図１８】
2013114414.tif 000020
【図１９】
2013114414.tif 000021
【図２０】
2013114414.tif 000022
【図２１】
2013114414.tif 000023
【図２２】
2013114414.tif 000024
【図２３】
2013114414.tif 000025